(57)【要約】【課題】摩擦トルクを上昇させずに、軸受内部の気流通過を抑制することができる転がり軸受を提供すること。【解決手段】外輪と、内輪と、前記外輪と前記内輪との間に介在された複数の玉と、前記複数の玉を均等配置するための冠型保持器と、を備える転がり軸受において、前記冠型保持器は、前記外輪の内周面との最短距離及び前記内輪の外周面との最短距離がいずれも０．０２ｍｍ以上且つ０．１ｍｍ以下である構成とする。【選択図】図１
2017187147.tif 000002
【特許請求の範囲】
【請求項１】
外輪と、内輪と、前記外輪と前記内輪との間に介在された複数の玉と、前記複数の玉を均等配置するための冠型保持器と、を備える転がり軸受であって、
前記冠型保持器は、その円環状の基部において外径側又は内径側に向かって延在する少なくとも一つのフランジを有し、
前記フランジの径方向における表面には、少なくとも一つの突起部が設けられていることを特徴とする転がり軸受。
【請求項２】
外輪と、内輪と、前記外輪と前記内輪との間に介在された複数の玉と、前記複数の玉を均等配置するための冠型保持器と、を備える転がり軸受であって、
前記冠型保持器は、その円環状の基部における外径側又は内径側に、先端部から軸方向端面まで延びる円錐面を持った少なくとも一つの円環状の角部を有することを特徴とする転がり軸受。
【請求項３】
外輪と、内輪と、前記外輪と前記内輪との間に介在された複数の玉と、前記複数の玉を均等配置するための冠型保持器と、を備える転がり軸受であって、
前記冠型保持器は、前記外輪の内周面との最短距離及び前記内輪の外周面との最短距離がいずれも０．０２ｍｍ以上且つ０．１ｍｍ以下であり、
前記冠型保持器は、その円環状の基部において外径側又は内径側に向かって延在するフランジを有し、
前記最短距離の少なくとも一方は、前記冠型保持器のフランジとの間に規定されることを特徴とする転がり軸受。
【請求項４】
外輪と、内輪と、前記外輪と前記内輪との間に介在された複数の玉と、前記複数の玉を均等配置するための冠型保持器と、を備える転がり軸受であって、
前記冠型保持器は、前記外輪の内周面との最短距離及び前記内輪の外周面との最短距離がいずれも０．０２ｍｍ以上且つ０．１ｍｍ以下であり、
前記冠型保持器は、その円環状の基部の外径面と内周面の少なくとも一方を、柱部の外径面又は内径面と一様外径とし、
前記最短距離の少なくとも一方は、前記冠型保持器の基部の外径面又は内径面との間に規定されることを特徴とする転がり軸受。
【請求項５】
前記冠型保持器の最外径面と前記外輪の内周面との径方向距離と、前記冠型保持器の最内径面と前記内輪の外周面との径方向距離との総和は、前記外輪の内周面と前記内輪の外周面との間の径方向距離の３０％以下であることを特徴とする請求項１〜４のいずれか１項に記載の転がり軸受。
【発明の詳細な説明】
【技術分野】
【０００１】
本発明は、転がり軸受に関し、より詳細には、各玉を均等配置するための冠型保持器を有する転がり軸受に関する。
【背景技術】
【０００２】
図６に示すように、従来の転がり軸受１は、外輪２と、内輪３と、外輪２と内輪３との両軌道溝２１、３１間に介在された複数の玉４と、複数の玉４を均等配置するための冠型保持器５と、軸受内部を外部から密封するための密封装置６と、を備える。また、転がり軸受１において、軸受の寿命、トルク、回転安定性、音響性能等の性能を向上させるため、グリースなどの潤滑剤が使用されている。
【０００３】
転がり軸受１では、潤滑剤からの発塵が、軸受内部を通過する気流によって軸受外部に運ばれると、軸受外部の環境を汚染する虞があった。特に、転がり軸受１が適用される磁気記憶装置（ＨＤＤ）においては、稼働時に軸受内部に強い空気の流れが発生する。また、軸受が運動することで軸受内部のグリースが攪拌されて、グリース内の油分が微量な粒子となる。この粒子が外部に放出され、軸受外部の環境が汚染されると、データの読み込みや書き込みに不都合が発生することがあり、故障を招く虞がある。
【０００４】
また、従来の転がり軸受では、上述した軸受内部の気流通過を抑えるため、密封装置６として、接触型のシールや、図６に示すような非接触型の金属製シールドが設けられている（例えば、特許文献１を参照）。
【先行技術文献】
【特許文献】
【０００５】
【特許文献１】特開２０１４−１４８９９２号公報
【発明の概要】
【発明が解決しようとする課題】
【０００６】
ところで、接触型のシールは、ゴムなどの弾性部材により形成されたリップ部を備えており、このリップ部が内輪の外周に接触し、軸受内部を密封状態として、軸受を通過する気流を抑制することができる。しかしながら、軸受の回転時にシールのリップ部と軸受内輪との間で摺動が生じて、摩擦トルクが上昇し、軸受の回転性能に悪影響を与えてしまう。
【０００７】
一方、非接触型の金属製シールドを使用する場合、内輪とシールドとの間の隙間を通常よりも小さくすることにより気流を抑制するも考えられるが、シールドは加締めまたは止め輪で外輪に固定する必要があるため、同心度の確保が難しく、内輪とシールドとの隙間を均一に周方向において接触しない程度に小さくするには限界がある。
【０００８】
本発明は、以上の課題を鑑みてなされたものであり、その目的は、低コストな手段により、摩擦トルクを上昇させずに、軸受内部の気流通過を抑制することにより、潤滑剤からの発塵が軸受外部に流出することを防止できる転がり軸受を提供することにある。
【課題を解決するための手段】
【０００９】
本発明の上記目的は、下記の構成により達成される。
（１）  外輪と、内輪と、前記外輪と前記内輪との間に介在された複数の玉と、前記複数の玉を均等配置するための冠型保持器と、を備える転がり軸受であって、
前記冠型保持器は、その円環状の基部において外径側又は内径側に向かって延在する少なくとも一つのフランジを有し、
前記フランジの径方向における表面には、少なくとも一つの突起部が設けられていることを特徴とする転がり軸受。
（２）  外輪と、内輪と、前記外輪と前記内輪との間に介在された複数の玉と、前記複数の玉を均等配置するための冠型保持器と、を備える転がり軸受であって、
前記冠型保持器は、その円環状の基部における外径側又は内径側に、先端部から軸方向端面まで延びる円錐面を持った少なくとも一つの円環状の角部を有することを特徴とする転がり軸受。
（３）  外輪と、内輪と、前記外輪と前記内輪との間に介在された複数の玉と、前記複数の玉を均等配置するための冠型保持器と、を備える転がり軸受であって、
前記冠型保持器は、前記外輪の内周面との最短距離及び前記内輪の外周面との最短距離がいずれも０．０２ｍｍ以上且つ０．１ｍｍ以下であり、
前記冠型保持器は、その円環状の基部において外径側又は内径側に向かって延在するフランジを有し、
前記最短距離の少なくとも一方は、前記冠型保持器のフランジとの間に規定されることを特徴とする転がり軸受。
（４）  外輪と、内輪と、前記外輪と前記内輪との間に介在された複数の玉と、前記複数の玉を均等配置するための冠型保持器と、を備える転がり軸受であって、
前記冠型保持器は、前記外輪の内周面との最短距離及び前記内輪の外周面との最短距離がいずれも０．０２ｍｍ以上且つ０．１ｍｍ以下であり、
前記冠型保持器は、その円環状の基部の外径面と内周面の少なくとも一方を、柱部の外径面又は内径面と一様外径とし、
前記最短距離の少なくとも一方は、前記冠型保持器の基部の外径面又は内径面との間に規定されることを特徴とする転がり軸受。
（５）  前記冠型保持器の最外径面と前記外輪の内周面との径方向距離と、前記冠型保持器の最内径面と前記内輪の外周面との径方向距離との総和は、前記外輪の内周面と前記内輪の外周面との間の径方向距離の３０％以下であることを特徴とする（１）〜（４）のいずれかに記載の転がり軸受。
【発明の効果】
【００１０】
本発明の転がり軸受によれば、冠型保持器は、その円環状の基部において外径側又は内径側に向かって延在する少なくとも一つのフランジを有し、フランジの径方向における表面には、少なくとも一つの突起部が設けられている。したがって、冠型保持器の形状に特徴を持たせて、摩擦トルクを上昇させずに、気体が軸受内部を通過する流路を絞って、軸受内部の気流通過を抑制するため、密封装置を用いて気流通過を抑制する場合より低コストである。
【００１１】
さらに、本発明の転がり軸受によれば、冠型保持器は、その円環状の基部における外径側又は内径側に、先端部から軸方向端面まで延びる円錐面を持った少なくとも一つの円環状の角部を有する。したがって、冠型保持器の形状に特徴を持たせて、摩擦トルクを上昇させずに、気体が軸受内部を通過する流路を絞って、軸受内部の気流通過を抑制するため、密封装置を用いて気流通過を抑制する場合より低コストである。
【００１２】
また、本発明の転がり軸受によれば、冠型保持器は、外輪の内周面との最短距離及び内輪の外周面との最短距離がいずれも０．０２ｍｍ以上且つ０．１ｍｍ以下であるので、冠型保持器と内輪・外輪の間の隙間を小さくすることにより、摩擦トルクを上昇させずに、気体が軸受内部を通過する流路を絞って、軸受内部の気流通過を抑制することができる。また、冠型保持器は、その円環状の基部において外径側又は内径側に向かって延在する少なくとも一つのフランジを有し、最短距離の少なくとも一方は、冠型保持器のフランジとの間に規定される。したがって、冠型保持器の形状に特徴を持たせて気流通過を抑制するため、密封装置を用いて気流通過を抑制する場合より低コストである。
【００１３】
また、本発明の転がり軸受によれば、冠型保持器は、外輪の内周面との最短距離及び内輪の外周面との最短距離がいずれも０．０２ｍｍ以上且つ０．１ｍｍ以下であるので、冠型保持器と内輪・外輪の間の隙間を小さくすることにより、摩擦トルクを上昇させずに、気体が軸受内部を通過する流路を絞って、軸受内部の気流通過を抑制することができる。また、冠型保持器は、その円環状の基部の外径面と内周面の少なくとも一方を、柱部の外径面又は内径面と一様外径とし、最短距離の少なくとも一方は、冠型保持器の基部の外径面又は内径面との間に規定される。したがって、冠型保持器の形状に特徴を持たせて気流通過を抑制するため、密封装置を用いて気流通過を抑制する場合より低コストである。
【図面の簡単な説明】
【００１４】
【図１】本発明の第１実施形態による転がり軸受を示す断面図。
【図２】本発明の第２実施形態による転がり軸受を示す断面図。
【図３】本発明の第３実施形態による転がり軸受を示す断面図。
【図４】本発明の第４実施形態による転がり軸受を示す断面図。
【図５】本発明の第４実施形態の変形例による転がり軸受を示す断面図。
【図６】従来の転がり軸受の冠型保持器の形状を示す断面図。
【発明を実施するための形態】
【００１５】
以下、本発明に係る転がり軸受の各実施形態を図面に基づいて詳細に説明する。以下において、説明の便宜のため、各実施形態において同一の構成には同一の符号を付し、重複する説明は割愛する。
【００１６】
（第１実施形態）
図１に示すように、転がり軸受１は、例えば、磁気記憶装置（ＨＤＤ）のピボット軸受として用いられ、外輪２と、内輪３と、外輪２の外輪軌道溝２１と内輪３の内輪軌道溝３１との間に介在された複数の玉４と、を有する。
また、転がり軸受１には、玉４に対して軸方向一方側（図１の左側）に配置される円環状の基部５１と、基部５１から軸方向に所定の間隔で延出し、先端に爪部５３を有する柱部５２とを有する合成樹脂製の冠型保持器５が備えられている。冠型保持器５は、隣り合う柱部５２と、これら柱部５２との間の基部５１とによって各ポケットを構成し、複数の玉４を周方向において均等配置する。
【００１７】
転がり軸受１の内部にはグリースなどの潤滑剤が封入されている。また、転がり軸受１の軸方向両端部には、軸受外部からの異物の侵入を防止すると同時に軸受内部からの潤滑剤の漏れを防ぐためのシールド（密封装置）６が備えられている。
【００１８】
第１実施形態による転がり軸受１では、冠型保持器５の基部５１において、外径側及び内径側に向かって延在し、軸方向に所定の幅の外径面５５ａ、内径面５６ａを持ったフランジ５５、５６が設けられている。そして、フランジ５５の外径面５５ａと外輪２の内周面２２との最短距離及びフランジ５６の内径面５６ａと内輪３の外周面３２との最短距離、即ち、径方向隙間がいずれも０．０２ｍｍ以上且つ０．１ｍｍ以下となっている。
【００１９】
フランジ５５の外径面５５ａと外輪２の内周面２２との最短距離またはフランジ５６の内径面５６ａと内輪３の外周面３２との最短距離が０．１ｍｍを超える場合は、軸受を通過する気流を効果的に抑制することができない。一方、フランジ５５の外径面５５ａと外輪２の内周面２２との最短距離またはフランジ５６の内径面５６ａと内輪３の外周面３２との最短距離が０．０２ｍｍ未満である場合は、冠型保持器５が外輪２の内周面２２または内輪３の外周面３２に接触しやすくなり、摩擦トルクが上昇してしまう虞がある。
【００２０】
したがって、フランジ５５の外径面５５ａと外輪２の内周面２２との最短距離及びフランジ５６の内径面５６ａと内輪３の外周面３２との最短距離を、いずれも０．０２ｍｍ以上且つ０．１ｍｍ以下にすることにより、摩擦トルクを上昇させずに、気体が軸受内部を通過する流路を絞って、軸受内部の気流通過を抑制することができる。また、本発明は冠型保持器５の形状により気流通過を抑制するため、低コストな転がり軸受を得る事ができる。
【００２１】
また、本実施形態では、冠型保持器５の最外径面（本実施形態では、フランジ５５の外径面５５ａ）と外輪２の内周面２２との径方向距離と、冠型保持器５の最内径面（本実施形態では、フランジ５６の内径面５６ａ）と内輪３の外周面３２との径方向距離との総和が、外輪２の内周面２２と内輪３の外周面３２との間の径方向距離の３０％以下に設定されることが好ましい。これにより、摩擦トルクを上昇させずに、気体が軸受内部を通過する流路を絞って、軸受内部の気流通過を抑制することができる。
【００２２】
即ち、冠型保持器５の半径方向肉厚をＡ，（外輪２の内周面２２の半径−内輪３の外周面３２の半径）をＢとすると、
冠型保持器の最外径面と外輪の内周面との径方向距離と、冠型保持器の最内径面と内輪の外周面との径方向距離との総和／外輪の内周面と内輪の外周面との間の径方向距離＝［１−Ａ／Ｂ］×１００（％）となる。
【００２３】
（第２実施形態）
次に、第２実施形態による転がり軸受を説明する。なお、第２実施形態による転がり軸受は、冠型保持器５の形状以外は第１実施形態と同一であるため、以下においては、冠型保持器５についてのみ詳しく説明する。
【００２４】
第２実施形態による転がり軸受１では、図２に示すように、冠型保持器５の基部５１に、外径側及び内径側の双方に向かって延在するフランジ５５、５６が設けられており、また、本発明のフランジの径方向における表面である、外径側フランジ５５の外径面５５ａと内径側フランジ５６の内径面５６ａにそれぞれリング状の突起部５７ａ、５７ｂが設けられている。そして、外径側に設けられた突起部５７ａの先端部と外輪２の内周面２２との最短距離及び内径側に設けられた突起部５７ｂの先端部と内輪３の外周面３２との最短距離はいずれも０．０２ｍｍ以上且つ０．１ｍｍ以下である。例えば、フランジ５５の外径面５５ａと外輪２の内周面２２の径方向隙間が０．０３ｍｍであった場合に、０．０１ｍｍ程度の高さの突起部５７ａが設けられ、突起部５７ａの先端と外輪２の内周面２２との距離を０．０２ｍｍにしてもよい。
【００２５】
したがって、例えば、外径側フランジ５５の外径面５５ａと外輪２の内周面２２との距離及び内径側フランジ５６の内径面５６ａと内輪３の外周面３２との距離をいずれも０．０３ｍｍ以上且つ０．１ｍｍ以下とし、突起部５７ａ、５７ｂの先端部と外輪２の内周面２２及び内輪３の外周面３２との各最短距離がいずれも０．０２ｍｍ以上且つ０．１ｍｍ以下となるように、突起部５７ａ，５７ｂの高さを設定してもよい。
【００２６】
なお、外径側フランジ５５の外径面５５ａと内径側フランジ５６の内径面５６ａの上に、本実施形態のようなリング状の突起部５７ａ、５７ｂを設ける代わりに、３〜１２個の突起部５７ａ、５７ｂが円周方向に所定の間隔で設けられてもよい。
【００２７】
また、従来のようなフランジが設けられていない冠型保持器５に直接突起部５７ａ，５７ｂを設け、突起部５７ａ，５７ｂの先端部とその対向する軌道輪の面の最短距離が０．０２ｍｍ以上且つ０．１ｍｍ以下となるように構成してもよい。
【００２８】
本実施形態は、冠型保持器５の突起部５７ａ，５７ｂにより、摩擦トルクを上昇させずに、気体が軸受内部を通過する流路を絞って、軸受内部の気流通過を抑制することができる。また、冠型保持器５の突起部５７ａ，５７ｂが外輪２の内周面２２または内輪３の外周面３２に接触したとしても、突起部５７ａ，５７ｂの先端部のみが点接触するため、第１実施形態と比べて接触面積が著しく減少する。その結果、接触による摩擦トルクも小さくなる。
【００２９】
また、本実施形態においても、冠型保持器５の最外径面（本実施形態では、突起部５７ａの先端部）と外輪２の内周面２２との径方向距離と、冠型保持器５の最内径面（本実施形態では、突起部５７ｂの先端部）と内輪３の外周面３２との径方向距離との総和は、外輪２の内周面２２と内輪３の外周面３２との間の径方向距離の３０％以下に設定されることが好ましい。即ち、［１−Ａ／Ｂ］×１００（％）≦３０％。
なお、本実施形態は、上述した径方向隙間の規定や、［１−Ａ／Ｂ］×１００（％）の範囲を満たすことが好ましいが、これに限定されるものではない。
【００３０】
（第３実施形態）
次に、第３実施形態による転がり軸受を説明する。なお、第３実施形態による転がり軸受は、冠型保持器５の形状以外は第１実施形態と同一であるため、以下においては、冠型保持器５についてのみ詳しく説明する。
【００３１】
第３実施形態による転がり軸受１は、図３に示すように、冠型保持器５の基部５１における外径側及び内径側に、先端部から軸方向端面まで延びる円錐面５４ｃを持った円環状の角部５４ａ、５４ｂをそれぞれ有する。そして、外径側の角部５４ａの先端部と外輪２の内周面２２との最短距離及び内径側の角部５４ｂの先端部と内輪３の外周面３２との最短距離がいずれも０．０２ｍｍ以上且つ０．１ｍｍ以下である。
【００３２】
本実施形態は、角部５４ａ、５４ｂにより、摩擦トルクを上昇させずに、気体が軸受内部を通過する流路を絞って、軸受内部の気流通過を抑制することができる。また、冠型保持器５の角部５４ａ、５４ｂが外輪２の内周面２２または内輪３の外周面３２に接触したとしても、角部５４ａ、５４ｂの先端部のみが接触するため、第１実施形態と比べて接触面積が著しく減少する。その結果、接触による摩擦トルクも小さくなる。
【００３３】
また、本実施形態においても、冠型保持器５の最外径面（本実施形態では、角部５４ａ）と外輪２の内周面２２との径方向距離と、冠型保持器５の最内径面（本実施形態では、角部５４ｂ）と内輪３の外周面３２との径方向距離との総和は、外輪２の内周面２２と内輪３の外周面３２との間の径方向距離の３０％以下に設定されることが好ましい。即ち、［１−Ａ／Ｂ］×１００（％）≦３０％。
なお、本実施形態においても、上述した径方向隙間の規定や、［１−Ａ／Ｂ］×１００（％）の範囲を満たすことが好ましいが、これに限定されるものではない。
【００３４】
なお、本実施形態の変形例として、図４に示すように、本実施形態の角部５４ａ、５４ｂは、第１及び第２実施形態のようなフランジ５５、５６を有するような構成において適用されてもよい。このような角部５４ａ，５４ｂは、基部５１の軸方向端面の面取り部と同時に設けることができ、製造コストを抑制することができる。また、この場合、角部５４ａ，５４ｂの位置は、基部５１の幅方向中間部よりも外側にずれており、射出成形の際に金型から離型しやすく、さらに、製造コストを抑制することができる。
【００３５】
（第４実施形態）
次に、第４実施形態による転がり軸受を説明する。なお、第４実施形態による転がり軸受は、冠型保持器５の形状以外は第１実施形態と同一であるため、以下においては、冠型保持器５についてのみ詳しく説明する。
【００３６】
第４実施形態による転がり軸受１は、図５に示すように、基部５１の外径面５１ａが柱部５２の外径面と一様外径を有し、内径面５１ｂも柱部５２の内径面も一様外径を有する。ただし、本実施形態による冠型保持器５は、基部５１の外径面５５ａと外輪２の内周面２２との最短距離及び基部５１の内径面５１ｂと内輪３の外周面３２との最短距離がいずれも０．０２ｍｍ以上且つ０．１ｍｍ以下である。
【００３７】
また、本実施形態においても、冠型保持器５の最外径面（本実施形態では、基部５１の外径面５１ａ）と外輪２の内周面２２との径方向距離と、冠型保持器５の最内径面（本実施形態では、基部５１の内径面５１ｂ）と内輪３の外周面３２との径方向距離との総和は、外輪２の内周面２２と内輪３の外周面３２との間の径方向距離の３０％以下に設定されることが好ましい。即ち、［１−Ａ／Ｂ］×１００（％）≦３０％。
【００３８】
これにより、摩擦トルクを上昇させずに、気体が軸受内部を通過する流路を絞って、軸受内部の気流通過を抑制することができる。また、本発明は冠型保持器５の形状により気流通過を抑制するため、低コストな転がり軸受を提供することができる。
【００３９】
なお、本発明は、上述した実施形態に限定されるものでなく、適宜、変形、改良等が可能である。
例えば、本発明による転がり軸受１の冠型保持器５の形状は、上記の実施形態に限定されない。上記実施形態の冠型保持器５では、外輪２の内周面２２に最も近い部位と、内輪３の外周面３２に最も近い部位とが、いずれも同様の構成を有しているが、本発明は、これに限定されるものではない。即ち、冠型保持器５において外輪２の内周面２２に最も近い部位と外輪２の内周面２２との距離（すなわち、冠型保持器５と外輪２の内周面２２との最短距離）が０．０２ｍｍ以上且つ０．１ｍｍ以下であり、且つ冠型保持器５において内輪３の外周面３２に最も近い部位と内輪３の外周面３２との距離（すなわち、冠型保持器５と内輪３の外周面３２との最短距離）が０．０２ｍｍ以上且つ０．１ｍｍ以下であればよい。例えば、外輪２の内周面２２に最も近い部位と、内輪３の外周面３２に最も近い部位とは、上記第１〜第４実施形態のいずれかを組み合わせたものであってもよい。
また、本発明において、保持器の案内方式は、玉案内、内輪案内、外輪案内のいずれに限定されるものではない。
【００４０】
さらに、本発明による転がり軸受は、例えば磁気記憶装置（ＨＤＤ）に用いられるピボット軸受であってもよいが、本発明はこれに限定されず、その他のいかなる種類の転がり軸受であってもよい。
また、本発明の転がり軸受がピボット軸受として適用される場合、通常、一対の転がり軸受は、軸方向に並んで軸に嵌合させて使用される。このような場合、転がり軸受は、冠型保持器５の円環状の基部５１は、玉４に対して軸方向内側（各転がり軸受が軸方向に互いに対向する側）に配置されてもよいし、軸方向外側に配置されてもよい。また、各転がり軸受は、軸方向内側となるシールドを設けない構成であってもよい。
【符号の説明】
【００４１】
１    転がり軸受
２    外輪
２２  外輪内周面
３    内輪
３２  内輪外周面
４    玉
５    冠型保持器
５１  基部
５２  柱部
５５、５６  フランジ
６    シールド
【図１】
2017187147.tif 000003
【図２】
2017187147.tif 000004
【図３】
2017187147.tif 000005
【図４】
2017187147.tif 000006
【図５】
2017187147.tif 000007
【図６】
2017187147.tif 000008